(57)【要約】【課題】  水難事故の発生時における安全性の向上、及び使い勝手の向上を実現することができる救命胴衣の改良構造を提供すること。【解決手段】  救命胴衣（１）と、その救命胴衣（１）に粘着パット（３）を用いて取着されたポケット（２）と、救命胴衣（１）の左右下端に設けられたベルト締め具（４）とを備えており、粘着パット（３）は、ポケット（２）を救命胴衣（１）より着脱自在とするものであり、ベルト締め具（４）は、使用者の腿に巻き付けられるものであることを特徴としている。【選択図】図１
0003102899.tif 000002
【実用新案登録請求の範囲】
【請求項１】
救命胴衣と、その救命胴衣に粘着パットを用いて取着されたポケットと、前記救命胴衣の左右下端に設けられたベルト締め具とを備えており、
前記粘着パットは、前記ポケットを前記救命胴衣より着脱自在とするものであり、
前記ベルト締め具は、使用者の腿に巻き付けられるものであることを特徴とする救命胴衣の改良構造。
【考案の詳細な説明】
【技術分野】
【０００１】
本考案は、一種の『救命胴衣の改良構造』に関するものである。
【背景技術】
【０００２】
現代において、釣りは戸外レジャーとして大人気の大衆活動の一つとなっている。だが、海釣りとしても磯釣りや渓流釣りとしても、それが水の深い所や河の激流ですることも多く、釣り人（以降、適宜、救命用具の使用者の意味で用いられる）が足を滑らせたりボートから落ちることによって、不意に落水する水難事故が多く発生している。釣り人は、水難事故に対応するために、釣りの際には救命胴衣を着用している。ここで、救命胴衣には、多数のポケットが設けられており、様々な釣具（例えば、釣り針（しかけ）、おもり、えさ等）を詰めることができるため、釣り人にとってとても便利である。
【０００３】
図４は、従来品（従来技術）の救命胴衣である。図４に示すように、従来品の救命胴衣は、多数にポケットを装置していた。それに、従来品においては、救命胴衣の左右下端にベルト締め具が設置されており、釣り人の股にＶ字形の状態で回して固定させると、落水しても体から救命胴衣が脱げない。
【考案の開示】
【考案が解決しようとする課題】
【０００４】
しかしながら、従来品の救命胴衣は、以下の欠点を有していた。
【０００５】
一、従来品においては、ポケット（９）が救命胴衣に直に逢着されているため、即ち、固型式であるため、洗濯が難しいし、長期間使用すると魚の生臭い匂いが残りやすい。
【０００６】
二、（Ａ）ポケット（９）に詰めていた釣具によりその救命胴衣全体の重量が嵩んでしまうので、浮力が低下して救命胴衣としての役割を果たすかどうか不明であるし、仮に釣り人（使用者）が不意に落水や転覆などの水難事故に遭った場合に、迅速にポケット内に詰め込んでいたものを捨てることは容易でなく、溺死する危険性が高くなってしまう。
【０００７】
それだけでなく、防水性なし材料から作成した救命胴衣のせいで、水がポケットに入れると、その排出が困難となるので、救命胴衣の重量が増加し、却って、危険性が増す。
【０００８】
以上のように、釣り人にとって釣りの安全性を高めるのが救命胴衣の本来の役割であるが、事故により釣り人が危険な状況に置かれた場合に、実用価値を失ってしまう（機能を果たさない）危険性がある。
【０００９】
三、救命胴衣にポケットが設けられると、様々な釣具を詰められるが、ポケットの数が多くなると、往々にして、釣り人がどの釣具がどのポケットに詰められているのか悩んでしまう。
【００１０】
四、釣りの種類は海釣りだけでなく、磯釣りと渓流釣りもある。このため、釣りの種類に応じて（用途に応じた）釣具を準備する必要がある。しかしながら、従来品においてはポケットが固型式であるために、釣りの種類に応じてポケットの中の釣具を詰め替える必要が生じ、その詰め替え作業が繁雑であった。
【００１１】
五、従来品においては、ベルト締め具（８）が釣り人の股を回して固定する構成とされているので、救命のために（ヘリコプター等からロッド等の用具を用いて）吊り上げると、全重量がベルト締め具（８）に集中し（図５参照）、釣り人の股を傷つける恐れがあった。また、ベルト締め具（８）がＶ字形の状態で股に固定していたから、釣り人がトイレに行く際には、それを外さなければならないので（解かなければならないので）、非常に不便であった。
【００１２】
このことに鑑み、本考案者は、従来品を改良した『救命胴衣の改良構造』を考案した。具体的には、本考案においては、水難事故の発生時における安全性の向上、及び使い勝手の向上を実現することができる救命胴衣の改良構造を提供することが目的とされている。
【課題を解決するための手段】
【００１３】
本考案は、一種の『救命胴衣の改良構造』に関するものであり、本考案の救命胴衣には粘着パットを用いるという設計により、それぞれのポケットが着脱自在であることを特徴としている。この設計により、釣り人が釣りの前に必要なポケットだけを救命胴衣に粘着すれば良いので使い勝手が良いし、誤って落水や転覆など水難事故が発生した場合にも、重量物であるポケットを直ちに取り外せるので安全性が高い。それに、救命胴衣の左右下端に設けられたベルト締め具が釣り人の腿（もも）に巻き付けられるので、救命胴衣が脱げないことは勿論のこと、救命のために吊り上げても釣り人を怪我させることがなく、安全性が高い。更には、トイレに行ってもベルト締め具を外さないままで用を足すことができ使い勝手が良い。
【考案の効果】
【００１４】
一、釣り人が釣りの前に必要数のポケットだけで取って救命胴衣に粘着させはいいで、そうするとポケットの数を減少させられる。
【００１５】
二、ポケットが救命胴衣より着脱自在であるので、ポケットを洗濯が容易になる。
【００１６】
三、仮に落水や転覆など事故にあっても、釣り人は直ちに重量の大きいポケットを取り外すことができるので、救命胴衣全体の重さを軽量にでき（すなわち、救命胴衣の浮力を十分に活用でき）、溺死などの危険性も低くなった。
【００１７】
四、救命胴衣の左右下端に装置していたベルト締め具が釣り人の腿にフィットして固定できる特性によって、誤って水に落ちた釣り人を救命要員が吊り上げる場合にも、股を傷つけない。
【００１８】
五、釣り人が釣りの前の備えも簡単である。例えば、釣り人は海釣りや磯釣りや渓流釣りなどの釣りの種類によって、ポケットを赤色、黄色、黒色に区別しておく（すなわち、色を区別しておく）。例えば、海釣りの場合には、赤色のポケット（海釣り用の（釣りの種類に応じた）釣具の入ったポケット。）だけを救命胴衣に粘着すればよいので、必要な釣具だけを携帯できるし（当然、釣具の選択も楽になるし）、救命用具も軽くなり、便利である。
【００１９】
六、救命胴衣の左右下端に装置していたベルト締め具は釣り人の腿に締め付けていたので、トイレに行こうとしてもわざわざベルト締め具を外さなくてもよく（解かなくてもよく）、便利である。
【考案を実施するための最良の形態】
【００２０】
本考案の構造の特徴及び特長を明確に説明ために、添付図を利用して、以下に詳細説明する。
【００２１】
図１は、本考案に係る救命胴衣の立体分解外観図である。図１に示すように、本考案の『救命胴衣の改良構造』の主要な品物は救命胴衣（１）とポケット（２）及び二つのベルト締め具（４）からなる。救命胴衣（１）には、多数の発泡ポリウレタンが詰め込まれており、安全基準を満たすのに必要十分な浮力を得ることができる。また、救命胴衣（１）の表面側及びポケットの裏面側には、ポケット（２）を救命胴衣（１）に粘着させるための粘着パット（３）が逢着されている。更に、救命胴衣（１）の左右下端には、それぞれ、逆Ｔ字形状のベルト締め具（４）が逢着されている。
【００２２】
図２は、本考案に係る救命胴衣の実施の状態を示す図である。図２に示すように、救命胴衣（１）に取り付けられている粘着パット（３）の粘着力によって、ポケット（２）をしっかりと取着できる。勿論、ポケット（２）は、容易に着脱することが可能である。釣り人が救命胴衣（１）を着用する時に、下方の左右端にあるベルト締め具（４）は腿に締め付け可能とされている。このため、体にフィットして不用意に外れないようにされている。
【００２３】
上述から、本考案の『救命胴衣の改良構造』の優れた点を以下のように整理して説明する。
【００２４】
一、釣り人が釣りの前に必要数のポケット（２）だけを救命胴衣（１）に粘着させはいいで、そうするとポケット（２）の数を減少させられる。
【００２５】
二、ポケット（２）が迅速に救命胴衣（１）に着脱自在な特性によって、ポケット（２）を洗濯が容易になる。
【００２６】
三、仮に落水や転覆などの水難事故にあっても、釣り人は直ちに重量の大きいポケット（２）を取り外すことができ、（図３参照）全体の重さを軽量にでき、溺死などの危険性も低くなった。
【００２７】
四、救命胴衣（１）の左右下端に装置していたベルト締め具（４）が釣り人の腿にフィットして固定できる特性によって、水難事故にあった釣り人を吊り上げても、釣り人を傷つけることがない。
【００２８】
五、釣り人が釣りの前の備えも簡単である。釣り人は海釣りや磯釣りや渓流釣りなどによって、ポケット（２）を好きのように赤色、黄色、黒いで区別して置く。例え、今日は乗船して海釣りに行く場合に、赤色のポケット（２）だけで用がたりるのであれば、救命胴衣（１）に赤色のポケット（２）だけ粘着すればよく、便利である。
【００２９】
六、救命胴衣（１）の左右下端に装置していたベルト締め具（４）は釣り人の腿に締め付けていたので、トイレに行こうとしてもわざわざベルト締め具（４）を解かなくても便利である。
【００３０】
上述から、本考案の安全性及び使い勝手（便利性や機能性）は、従来品と比べて飛躍的に進歩しており、実用新案登録の要件に適合するため、ここに法に則り出願を提出する。
【００３１】
以上、実施例に基づき本考案を説明したが、上記実施例は本考案の趣旨を逸脱しない範囲内で種々の改良変形が可能であることはいうまでもなく、本考案の技術的範囲には当然これらの改良変形も含まれる。
【図面の簡単な説明】
【００３２】
【図１】本考案に係る救命胴衣の立体分解外観図である。
【図２】本考案に係る救命胴衣の実施図である。
【図３】本考案に係る救命胴衣のポケットを取り外す図である。
【図４】従来品に係る救命胴衣の外観図である。
【図５】従来品に係る救命胴衣の救助する実施図である。
【符号の説明】
【００３３】
（１）救命胴衣
（２）ポケット
（３）粘着パット
（４）ベルト締め具
（８）ベルト締め具（従来品）
（９）ポケット（従来品）
【図１】
0003102899.tif 000003
【図２】
0003102899.tif 000004
【図３】
0003102899.tif 000005
【図４】
0003102899.tif 000006
【図５】
0003102899.tif 000007